(57)【要約】【課題】家電のＴＶをコンピュータ用モニタとして利用する場合でも、第一ＯＳの開梱時に、第一ＯＳ、第二ＯＳ、ＢＩＯＳなどで画面の周囲が切り取られずに表示される解像度設定方式を提供する。【解決手段】Ｓ１：ＢＩＯＳ８は電源投入で１回目のみ第２ＯＳを起動する。Ｓ２：第２ＯＳ上で２つの解像度設定ツール９、１０が起動する。Ｓ３、Ｓ４：モードチェックモジュールがモニタの表示モードがオーバースキャンかアンダースキャンかを確認する。Ｓ５：確認した表示モードでテスト画像とＡｊｕｓｔボタンを表示し、ユーザの視認による調整が完了した時点のＡｊｕｓｔ情報とＥＤＩＤ情報を特定ファイルに出力する。Ｓ６：音声出力先の設定も特定ファイルに出力する。Ｓ７：特定ファイルを第１ＯＳの所定のフォルダへコピーする。Ｓ８：特定ファイルの内容に沿ってＢＩＯＳ設定を変更する。Ｓ９：ＢＩＯＳ８が再起動される。Ｓ１０〜Ｓ１４：ＰＯＳＴ画面、ＯＳメーカのロゴマーク表示、第１ＯＳの開封画面が縁部の切取りの無い状態で表示される。【選択図】図１
2008171283.tif 000002
【特許請求の範囲】
【請求項１】
テレビジョンに接続可能なデジタルインタフェースを有するコンピュータにおけるテレビジョンをコンピュータのモニタとして利用する場合の解像度設定装置であって、
第一基本ソフトウエアの使用許諾条件に同意する操作が行われる前に、本体装置に接続されたインタフェースがテレビジョンに接続可能なデジタルインタフェースか否かを判別する判別手段と、
該判別手段により前記インタフェースがテレビジョンに接続可能なデジタルインタフェースであると判別されたとき、前記コンピュータから出力される解像度または表示モードを第二基本ソフトウエア上で外部からの入力により設定させる設定手段と、
該設定手段により設定された前記解像度または表示モードを、第一基本ソフトウエアの設定に反映させる反映手段と、
を備えたことを特徴とする解像度設定装置。
【請求項２】
前記表示モードは、オーバースキャン表示またはアンダースキャン表示の表示モードである、ことを特徴とする請求項１記載の解像度設定装置。
【請求項３】
前記反映手段は、第一基本ソフトウエア上で処理動作が進行している際に、前記デジタルインタフェースに接続されたテレビジョンが他のテレビジョンに接続変更されたとき、前記設定された解像度または表示モードを、第一基本ソフトウエアに反映させる、ことを特徴とする請求項１記載の解像度設定装置。
【請求項４】
オーバースキャン装置の表示が設定されているモニタ装置をアンダースキャン装置の表示処理を行うコンピュータにデジタルインタフェースで接続して前記モニタ装置を前記コンピュータのモニタとして利用する場合の解像度設定装置であって、
第一基本ソフトウエアの使用許諾条件に同意する操作が行われる前に、前記コンピュータに接続されたインタフェースが前記モニタ装置に接続可能なデジタルインタフェースか否かを判別する判別手段と、
該判別手段により前記インタフェースが前記モニタ装置に接続可能なデジタルインタフェースであると判別されたとき、前記コンピュータから出力されるアンダースキャン装置の表示画面全面が前記オーバースキャン装置の表示画面内に収まるように前記コンピュータから出力される解像度または表示モードを第二基本ソフトウエア上で外部からの入力により設定させる設定手段と、
該設定手段により設定された前記解像度または表示モードを、第一基本ソフトウエアの設定に反映させる反映手段と、
を備えたことを特徴とする解像度設定装置。
【請求項５】
テレビジョンに接続可能なデジタルインタフェースを有するコンピュータにおけるテレビジョンをコンピュータのモニタとして利用する場合の解像度設定のための制御を演算処理装置に行わせるためのプログラムであって、
第一基本ソフトウエアの使用許諾条件に同意する操作が行われる前に、前記コンピュータに接続されたインタフェースがテレビジョンに接続可能なデジタルインタフェースか否かを判別する判別処理と、
該判別処理により前記インタフェースがテレビジョンに接続可能なデジタルインタフェースであると判別されたとき、前記コンピュータから出力される解像度または表示モードを第二基本ソフトウエア上で外部からの入力により設定させる設定処理と、
該設定処理により設定された前記解像度または表示モードを、第一基本ソフトウエアの設定に反映させる反映処理と、
を前記演算処理装置に行わせることを特徴とするプログラム。
【請求項６】
前記表示モードは、オーバースキャン表示またはアンダースキャン表示の表示モードである、ことを特徴とする請求項５記載のプログラム。
【請求項７】
前記反映処理は、第一基本ソフトウエア上で処理動作が進行している際に、前記デジタルインタフェースに接続されたテレビジョンが他のテレビジョンに接続変更されたとき、前記設定された解像度または表示モードを、第一基本ソフトウエアに反映させる、ことを特徴とする請求項５記載のプログラム。
【請求項８】
オーバースキャン装置の表示が設定されているモニタ装置をアンダースキャン装置の表示処理を行うコンピュータにデジタルインタフェースで接続して前記モニタ装置を前記コンピュータのモニタとして利用する場合の解像度設定のための制御を演算処理装置に行わせるためのプログラムであって、
第一基本ソフトウエアの使用許諾条件に同意する操作が行われる前に、前記コンピュータに接続されたインタフェースが前記モニタ装置に接続可能なデジタルインタフェースか否かを判別する判別処理と、
該判別処理により前記インタフェースが前記モニタ装置に接続可能なデジタルインタフェースであると判別されたとき、前記コンピュータから出力されるアンダースキャン装置の表示画面全面が前記オーバースキャン装置の表示画面内に収まるように前記コンピュータから出力される解像度または表示モードを第二基本ソフトウエア上で外部からの入力により設定させる設定処理と、
該設定処理により設定された前記解像度または表示モードを、第一基本ソフトウエアの設定に反映させる反映処理と、
を前記演算処理装置に行わせることを特徴とするプログラム。
【請求項９】
テレビジョンに接続可能なデジタルインタフェースを有するコンピュータにおけるテレビジョンをコンピュータのモニタとして利用する場合の解像度設定方法であって、
第一基本ソフトウエアの使用許諾条件に同意する操作が行われる前に、本体方法に接続されたインタフェースがテレビジョンに接続可能なデジタルインタフェースか否かを判別する判別工程と、
該判別工程により前記インタフェースがテレビジョンに接続可能なデジタルインタフェースであると判別されたとき、前記コンピュータから出力される解像度または表示モードを第二基本ソフトウエア上で外部からの入力により設定させる設定工程と、
該設定工程により設定された前記解像度または表示モードを、第一基本ソフトウエアの設定に反映させる反映工程と、
を含むことを特徴とする解像度設定方法。
【請求項１０】
オーバースキャン方法の表示が設定されているモニタ方法をアンダースキャン方法の表示処理を行うコンピュータにデジタルインタフェースで接続して前記モニタ方法を前記コンピュータのモニタとして利用する場合の解像度設定方法であって、
第一基本ソフトウエアの使用許諾条件に同意する操作が行われる前に、前記コンピュータに接続されたインタフェースが前記モニタ方法に接続可能なデジタルインタフェースか否かを判別する判別工程と、
該判別工程により前記インタフェースが前記モニタ方法に接続可能なデジタルインタフェースであると判別されたとき、前記コンピュータから出力されるアンダースキャン方法の表示画面全面が前記オーバースキャン方法の表示画面内に収まるように前記コンピュータから出力される解像度または表示モードを第二基本ソフトウエア上で外部からの入力により設定させる設定工程と、
該設定工程により設定された前記解像度または表示モードを、第一基本ソフトウエアの設定に反映させる反映工程と、
を含むことを特徴とする解像度設定方法。
【発明の詳細な説明】
【技術分野】
【０００１】
本発明は、テレビジョンをコンピュータのモニタとして利用する場合の解像度設定装置、解像度設定プログラム及び解像度設定方法に関する。
【背景技術】
【０００２】
従来、テレビジョン（以下、ＴＶと記載する）の画面表示は、映像信号の空白部分を画面に表示させないために「オーバースキャン」方式を採用している。オーバースキャン方式は、画面の上下左右を切り取って、画面中央部の安全フレームと呼ばれる部分を表示する方式である。
【０００３】
これに対してコンピュータの専用モニタでは、全画像データを表示画面全面に表示する「アンダースキャン」方式を採用している。アンダースキャン方式は、画像データの画面の上下左右を切り取るようなことをせず、ドット・バイ・ドットで表示を行う方式である。
【０００４】
図２は、比較のため、オーバースキャン方式の画面表示とアンダースキャン方式の画面表示を示す図である。図２に示す表示画面１は、横方向に７２０ピクセル、縦方向に４８０ピクセルの表示アクティブ領域を持った表示画面を示している。
【０００５】
この表示画面１は、図の例では、その表示アクティブ領域の左側に１３８ピクセルのブランク部分、上側に４５ラインのブランク部分を有している。
表示アクティブ領域に表示されるアンダースキャン表示は、外枠２で示す全画像データが表示アクティブ領域に対応して全面表示される。
【０００６】
これに対してオーバースキャン表示では内枠３で示す画像データの中心から８５％の領域が、拡大されて表示アクティブ領域に表示される。尚、図２は、拡大表示前のオーバースキャン領域を内枠３で囲んで示している。
【０００７】
つまり、図２の外枠２と内枠３の差分４で示す区間は、オーバースキャン表示のための画像データの切り取り部分である。したがって、コンピュータのアンダースキャン表示をそのまま液晶ＴＶの画面に表示すると、差分４の領域の画像が表示されない状態となる。
【０００８】
ところで、ラップトップ型コンピュータやノート型コンピュータなどのコンピュータ本体と液晶モニタが一体になっているコンピュータや、ＣＲＴ（cathode ray tube）や液晶型の専用モニタが付随しているデスクトプコンピュータでは、モニタがコンピュータ専用であるため、その表示モードは初めからアンダースキャン方式に設定されている。
【０００９】
したがって、これらのコンピュータの新品を購入してから行う第１基本ソフトウエア（例えば、ウインドウズ（商標、以下同様）ＯＳやマック（商標、以下同様）ＯＳ（ＯＳ：operating system、基本ソフトウエア））の開封時には何も問題は起きない。尚、本発明で記述される「開封」とは、「基本ソフトウエアの使用許諾条件に同意する操作」を指している。
【００１０】
しかし、ＢＩＯＳ(basic input/output system）のみが搭載されているコンピュータ本体のみを購入し、モニタとしてＴＶモニタを兼用で利用するというようなコンピュータマニアが結構存在する。
【００１１】
このようなコンピュータマニアは、購入したばかりのコンピュータ本体にＴＶモニタを接続し、そのＴＶモニタを見ながら、開封前の第１ＯＳが予めインストールされているＨＤ(hard disk）から、又はＣＤ−ＲＯＭ(compact disc read only memory）ドライブに挿入された開封する前の第１ＯＳが格納されているＣＤ−ＲＯＭ等から第１ＯＳを読み込んで開封しようとする。
【００１２】
そうすると、アンダースキャン表示に設定されている開封画面がオーバースキャン方式に設定されているＴＶモニタに表示されるため、専用のコンピュータモニタであれば画面の上下左右の上述した差分４の区間に表示される各種のボタンやアイコンが画面外となってしまい、ユーザの目から見えなくなってしまうことがある。
【００１３】
つまり、第１ＯＳを開封する際に「戻る」、「次へ」、「キャンセル」などのマンマシンインタフェースとして表示される各種のボタンは、上記の差分４の表示領域に表示されることもあるので、これらのマンマシンインタフェースとしてのボタンが画面外となって消えてしまう。
【００１４】
そうすると、ユーザは、第１ＯＳからの例えば契約書に同意か否かの問合せなどに同意を示す「ＯＫ」ボタンを押す応答ができない。同意できないと返品とみなされて、第１ＯＳをコンピュータ本体にインストールすることができないという不具合が発生する。
【００１５】
また開封後に設定できるユーティリティは、第一ＯＳのみであるため、運よく第一ＯＳが開封できても、表示モードの設定が出来ていないから、その後に第一ＯＳ上で動作するシステムのリカバリやＢＩＯＳ設定などの画面で、上記同様に各種のボタンやアイコンが画面外となって見えないという問題があった。
【００１６】
例えば、ＰＯＳＴ（power-on/self-test）時のキー操作が見えないと、セットアップやブートメニューの起動が出来ない。また、ＥＤＩＤ（ＴＶ側で持っている解像度の全パターン）で返している設定値と実際の表示解像度が異なる場合には、文字が潰れて見えなくなる。
【００１７】
これでは、その後の各種アプリケーションのインストールも侭ならず、ＴＶモニタの利用はできないということになって不便である。
なお、表示領域の調整については、Ｗｉｎｄｏｗｓ(R) などのＯＳ上で設定するセーフティーエリアに関するアプリケーションの設定方法に関する技術が開示されている。（例えば、特許文献１参照。）
また、オーバースキャン又はアンダースキャンを、ゲームソフト側で配慮し、オブジェクトデータを画面の内側で表示するようにして、オーバースキャン表示で文字表示が保証できるようにする技術が開示されている。（例えば、特許文献２参照。）
【特許文献１】特開２００６−１０７００９号公報
【特許文献２】特開２００５−１１８３４０号公報
【発明の開示】
【発明が解決しようとする課題】
【００１８】
しかしながら、特許文献１の技術は、それを使うことでオーバースキャンやアンダースキャンの問題は回避できるとはいうものの、それはあくまで第１ＯＳとしてのＷｉｎｄｏｗｓ(R) ＯＳが順調に開封されてコンピュータ本体にインストールされ、そのＷｉｎｄｏｗｓ(R) ＯＳの上でセーフティエリア設定のアプリケーションが動作してからのことである。
【００１９】
つまり、購入直後のＷｉｎｄｏｗｓ(R) の開封画面では、上述したように上下左右が表示されない状態で開封せざるを得ないから、第１ＯＳの開封時にマンマシンインタフェースとの応答が出来ず第１ＯＳをコンピュータ本体にインストールすることができないという不具合が解消されるわけではない。
【００２０】
したがって、オーバースキャンやアンダースキャンの問題を回避するための、第１ＯＳ上で設定するセーフティーエリアに関するアプリケーションが動作できるはずもない。
また、特許文献２の技術で開示されている「常に表示画面の内側にオブジェクトデータを表示する」のは、すでにインストール済みの第１ＯＳ上で動作するゲームソフト側で行うものであって、上述した第１ＯＳをコンピュータ本体にインストールすることができないという不具合を解消するものではない。
【００２１】
本発明の課題は、上記従来の実情に鑑み、家電のＴＶをコンピュータ用モニタとして利用する場合でも、第一ＯＳの開梱時に、第一ＯＳ、第二ＯＳ、ＢＩＯＳなどで画面の周囲が切り取られずに表示される解像度設定方式を提供することである。
【課題を解決するための手段】
【００２２】
先ず、第１の発明の解像度設定装置は、テレビジョンに接続可能なデジタルインタフェースを有するコンピュータにおけるテレビジョンをコンピュータのモニタとして利用する場合の解像度設定装置であって、第一基本ソフトウエアの使用許諾条件に同意する操作が行われる前に、本体装置に接続されたインタフェースがテレビジョンに接続可能なデジタルインタフェースか否かを判別する判別手段と、該判別手段により上記インタフェースがテレビジョンに接続可能なデジタルインタフェースであると判別されたとき、上記コンピュータから出力される解像度または表示モードを第二基本ソフトウエア上で外部からの入力により設定させる設定手段と、該設定手段により設定された上記解像度または表示モードを、第一基本ソフトウエアの設定に反映させる反映手段と、を備えて構成される。
【００２３】
上記表示モードは、例えば、オーバースキャン表示またはアンダースキャン表示の表示モードである。また、上記反映手段は、例えば、第一基本ソフトウエア上で処理動作が進行している際に、上記デジタルインタフェースに接続されたテレビジョンが他のテレビジョンに接続変更されたとき、上記設定された解像度または表示モードを、第一基本ソフトウエアに反映させる。
【００２４】
次に、第２の発明の解像度設定装置は、オーバースキャン装置の表示が設定されているモニタ装置をアンダースキャン装置の表示処理を行うコンピュータにデジタルインタフェースで接続して上記モニタ装置を上記コンピュータのモニタとして利用する場合の解像度設定装置であって、第一基本ソフトウエアの使用許諾条件に同意する操作が行われる前に、上記コンピュータに接続されたインタフェースが上記モニタ装置に接続可能なデジタルインタフェースか否かを判別する判別手段と、該判別手段により上記インタフェースが上記モニタ装置に接続可能なデジタルインタフェースであると判別されたとき、上記コンピュータから出力されるアンダースキャン装置の表示画面全面が上記オーバースキャン装置の表示画面内に収まるように上記コンピュータから出力される解像度または表示モードを第二基本ソフトウエア上で外部からの入力により設定させる設定手段と、該設定手段により設定された上記解像度または表示モードを、第一基本ソフトウエアの設定に反映させる反映手段と、を備えて構成される。
【００２５】
更に、第３の発明のプログラムは、テレビジョンに接続可能なデジタルインタフェースを有するコンピュータにおけるテレビジョンをコンピュータのモニタとして利用する場合の解像度設定のための制御を演算処理装置に行わせるためのプログラムであって、第一基本ソフトウエアの使用許諾条件に同意する操作が行われる前に、上記コンピュータに接続
されたインタフェースがテレビジョンに接続可能なデジタルインタフェースか否かを判別する判別処理と、該判別処理により上記インタフェースがテレビジョンに接続可能なデジタルインタフェースであると判別されたとき、上記コンピュータから出力される解像度または表示モードを第二基本ソフトウエア上で外部からの入力により設定させる設定処理と、該設定処理により設定された上記解像度または表示モードを、第一基本ソフトウエアの設定に反映させる反映処理と、を上記演算処理装置に行わせるように構成される。
【００２６】
上記表示モードは、例えば、オーバースキャン表示またはアンダースキャン表示の表示モードである。また、上記反映処理は、例えば、第一基本ソフトウエア上で処理動作が進行している際に、上記デジタルインタフェースに接続されたテレビジョンが他のテレビジョンに接続変更されたとき、上記設定された解像度または表示モードを、第一基本ソフトウエアに反映させる。
【００２７】
また、第４の発明のプログラムは、オーバースキャン装置の表示が設定されているモニタ装置をアンダースキャン装置の表示処理を行うコンピュータにデジタルインタフェースで接続して上記モニタ装置を上記コンピュータのモニタとして利用する場合の解像度設定のための制御を演算処理装置に行わせるためのプログラムであって、第一基本ソフトウエアの使用許諾条件に同意する操作が行われる前に、上記コンピュータに接続されたインタフェースが上記モニタ装置に接続可能なデジタルインタフェースか否かを判別する判別処理と、該判別処理により上記インタフェースが上記モニタ装置に接続可能なデジタルインタフェースであると判別されたとき、上記コンピュータから出力されるアンダースキャン装置の表示画面全面が上記オーバースキャン装置の表示画面内に収まるように上記コンピュータから出力される解像度または表示モードを第二基本ソフトウエア上で外部からの入力により設定させる設定処理と、該設定処理により設定された上記解像度または表示モードを、第一基本ソフトウエアの設定に反映させる反映処理と、を上記演算処理装置に行わせるように構成される。
【００２８】
また、第５の発明の解像度設定方法は、テレビジョンに接続可能なデジタルインタフェースを有するコンピュータにおけるテレビジョンをコンピュータのモニタとして利用する場合の解像度設定方法であって、第一基本ソフトウエアの使用許諾条件に同意する操作が行われる前に、本体方法に接続されたインタフェースがテレビジョンに接続可能なデジタルインタフェースか否かを判別する判別工程と、該判別工程により上記インタフェースがテレビジョンに接続可能なデジタルインタフェースであると判別されたとき、上記コンピュータから出力される解像度または表示モードを第二基本ソフトウエア上で外部からの入力により設定させる設定工程と、該設定工程により設定された上記解像度または表示モードを、第一基本ソフトウエアの設定に反映させる反映工程と、を含んで構成される。
【００２９】
また、第６の発明の解像度設定方法は、オーバースキャン方法の表示が設定されているモニタ方法をアンダースキャン方法の表示処理を行うコンピュータにデジタルインタフェースで接続して上記モニタ方法を上記コンピュータのモニタとして利用する場合の解像度設定方法であって、第一基本ソフトウエアの使用許諾条件に同意する操作が行われる前に、上記コンピュータに接続されたインタフェースが上記モニタ方法に接続可能なデジタルインタフェースか否かを判別する判別工程と、該判別工程により上記インタフェースが上記モニタ方法に接続可能なデジタルインタフェースであると判別されたとき、上記コンピュータから出力されるアンダースキャン方法の表示画面全面が上記オーバースキャン方法の表示画面内に収まるように上記コンピュータから出力される解像度または表示モードを第二基本ソフトウエア上で外部からの入力により設定させる設定工程と、該設定工程により設定された上記解像度または表示モードを、第一基本ソフトウエアの設定に反映させる反映工程と、を含んで構成される。
【発明の効果】
【００３０】
本発明によれば、第１ＯＳ（例えば、Ｗｉｎｄｏｗｓ(R) ＸＰなど）の開封段階で、オーバースキャン又はアンダースキャンの設定を、第二ＯＳ（例えば、Ｗｉｎｄｏｗｓ(R) ＰＥなど）上で行い、その設定値を第一ＯＳの開封段階から適用するので、家電のＴＶをコンピュータ用のモニタとして利用する場合に、第一ＯＳ、第二ＯＳ、ＢＩＯＳなどで画面の周囲が切り取られずに表示されるようになり、これにより、第１ＯＳの開封や、その後の第１ＯＳ上で動作するアプリケーションのインストールなどを何らの不具合も起こすことなく順調に進めることができ、したがって、居間にコンピュータを置いて動画視聴やＡＶソフトを楽しむことができるだけでなく、リカバリなどのアフターケアも違和感無く操作が可能となって便利である。
【発明を実施するための最良の形態】
【００３１】
以下、本発明の実施の形態を図面を参照しながら説明する。
【実施例１】
【００３２】
図１は、一実施形態におけるテレビジョンをコンピュータのモニタとして利用する場合の解像度設定システム及びその処理動作の流れを示す図である。
図１に示すように、この解像度設定システムは、ＷｉｎＰＥ／ＲＥの処理領域５で動作するモジュールと、ＷｉｎＶｉｓｔａ（Ｗｉｎｄｏｗｓ(R) Ｖｉｓｔａ）の処理領域６で動作するモジュールとから成る。
【００３３】
ＷｉｎＶｉｓｔａはウインドウズＯＳつまりウインドウズの第１ＯＳである。また、ＷｉｎＰＥ／ＲＥは、ＰＥというＯＳ（ウインドウズの第２ＯＳ）の上に載っているリカバリシステムのアプリケーションである。
【００３４】
このＷｉｎＰＥには、基本的に、予め何種類かの解像度がデフォルト値として設定されている。モニタ画面の大きさにもよるが、例えば、最低で横８００画素、縦６００画素、大きいものでは横１９２０画素、縦１０８０画素などの解像度が設定されている。
【００３５】
また、図１に示す記憶装置７は、例えばＨＤであり、領域７−１、７−２、及び７−３に分かれている。
領域７−１は、開封前のＷｉｎＶｉｓｔａが格納されている、又は開封後のＷｉｎＶｉｓｔａが格納される記憶領域であり、例えばエクスプローラ等のファイル管理ソフトで見ることができる領域である。この領域は一般に「区画２／３（ＩＤ：０７ｈ）」と呼ばれている。
【００３６】
領域７−２は、ＷｉｎＰＥ／ＲＥが格納されている領域であり、エクスプローラ等のファイル管理ソフトで見ることができない領域である。この領域は一般に「区画１（ＩＤ：２７ｈ）」と呼ばれている。
【００３７】
また、本解像度設定システムには、ＢＩＯＳ８と、解像度設定ツールとして第１ユーティリティ９と第２ユーティリティ１０が組み込まれる。
ＢＩＯＳ８は、ハードウエア・チップであり、このＢＩＯＳ８には、コンピュータの工場出荷時に、ＢＩＯＳ８で認識できるように予め電源投入時に１回のみ動作可能な起動順番が組み込まれている。
【００３８】
また、第１ユーティリティ９と第２ユーティリティ１０は、それぞれ、ハードウエア・チップとして組み込んでも良く、または通常のアプリケーションとして、記憶装置７の適宜の領域に予め格納しておくようにしてもよい。
【００３９】
これら第１ユーティリティ９及び第２ユーティリティ１０は、第二ＯＳであるＷｉｎＰＥ／ＲＥ上で、１回のみ自動的に動作できるように設定されている。
上記構成の本解像度設定システムにおいて、１回目の電源投入時におけるＷｉｎＶｉｓｔａ開封までの処理動作を、同じく図１を参照しながら以下に説明する。
【００４０】
先ず、ステップＳ１において、電源が投入されると、ＢＩＯＳ８は、電源投入の１回目のみＷｉｎＰＥ／ＲＥを起動すると共に、所定のフラグ領域に第２ユーティリティ１０を起動するためのブート・フラグを設定する。
【００４１】
次に、ステップＳ２において、ＷｉｎＰＥ／ＲＥが起動すると、第２ＯＳであるＷｉｎＰＥ上で、第１ユーティリティ９が自動起動し、第２ＯＳから第１ユーティリティ９にブート・フラグが引き渡される。
【００４２】
続いて、ステップＳ３において、第１ユーティリティ９は、ブート・フラグを確認し、確認したブート・フラグで指定されている第２ユーティリティ１０のモードチェックモジュールを起動する。
【００４３】
続くステップＳ４では、モードチェックモジュールは、本体装置に接続されているインタフェースを介してモニタ装置から通知されてくる表示モードがオーバースキャンかアンダースキャンかを確認する。
【００４４】
尚、ここでは、デジタルインタフェースを介してＴＶが接続されていることを前提としているが、コンピュータ専用モニタが接続されていて、表示モードがアンダースキャンであることが確認されたときは後述するステップＳ１０に直ちに移行することになる。
【００４５】
ここでは、上記確認された表示モードと上記デジタルインタフェースを介してＴＶから取得したＥＤＩＤに基づいて、ＴＶ画面に所定のアンダースキャン表示モードのテスト画像と、画面中央にＡｊｕｓｔボタンを表示する。
【００４６】
そして、ユーザによるＴＶ画面のテスト画像を視認しながら行われるＡｊｕｓｔボタンの操作に基づいて、ＴＶ画面のオーバースキャン表示モードの表示領域内に、アンダースキャン表示モードのテスト画像が全面表示されるように、調整が行われる。
【００４７】
この調整では、ユーザは、例えばテスト画像の縁部分に表示されている文字等が、画面からはみ出しているか表示領域内に入っているかを目視で確認しながら、Ａｊｕｓｔボタンを操作して、テスト画像がＴＶ画面内に全面表示されるように調整する。
【００４８】
そして、ステップＳ５において、上記調整が完了した時点のＡｊｕｓｔボタンの操作情報とＴＶのＥＤＩＤ情報とが所定の特定ファイルに出力される。
更に、ステップＳ６において、ユーザにより音声出力先をＨＤＭＩ（家電のデジタルインタフェース規格）とするか外付けのスピーカにするかの設定が行われ、この設定が上記所定の特定ファイルに出力されて、後続の処理が第１ユーティリティ９の引き渡される。
【００４９】
第１ユーティリティ９では、ステップＳ７として、上記ステップＳ５及びＳ６の処理でＡｊｕｓｔボタン操作情報、ＴＶのＥＤＩＤ情報、コンピュータ音声出力先情報が書き込まれている上記所定の特定ファイルを、記憶装置７のＷｉｎＶｉｓｔａ区画（領域７−１）の所定のフォルダへコピーする。
【００５０】
また、これと共に、ステップＳ８として、ＢＩＯＳ設定の変更Ｃａｌｌを行って、初期画面の表示出力方式を、上記所定の特定ファイルに書き込まれているデータに基づいて変
更する。
【００５１】
この変更では、ＢＩＯＳ８において、ＳＢＩＯＳ（システムバイオス）へオーバースキャン又はアンダースキャンの情報が渡され、その情報がＳＢＩＯＳからＶＢＩＯＳ（ビデオバイオス）へ渡される。
【００５２】
そして、ステップＳ９で、コンピュータ出力画像がＴＶ画面内に収まるように表示出力方式を調整されたＢＩＯＳ８が再起動される。
これにより、ステップＳ１０では、ＢＩＯＳ８により、ＰＯＳＴ（パワーオン・セルフテスト）画面が、設定されたアンダースキャン又はオーバースキャンで表示される。すなわち、コンピュータメーカのロゴマーク１１が、ＴＶの表示画面内に適正な状態で表示される。
【００５３】
上記に続いて、ステップＳ１１で、ＷｉｎＶｉｓｔａが起動されて、ステップＳ１２でＷｉｎＶｉｓｔａのロゴマークが画面に表示される。
更に、ステップＳ１３で、グラフィックドライバが、上記所定の特定ファイルを読み込んで、画面の表示モードやＡｊｕｓｔボタンの操作情報による解像度の設定値など各種の設定を実施する。
【００５４】
そして、ステップＳ１４で、コンピュータの出力画像の全画面がＴＶの表示画面内に収まるＡｊｕｓｔ済み設定において、ＷｉｎＶｉｓｔａの開封画面が表示される。
このように、本発明によれば、第１ＯＳの開封段階で、オーバースキャン又はアンダースキャンの設定を、第二ＯＳ上で行い、その設定値を第一ＯＳの開封段階から適用するので、家電のＴＶをコンピュータ用のモニタとして利用する場合に、第一ＯＳ、第二ＯＳ、ＢＩＯＳなどで画面の周囲が切り取られずに表示されるようになり、これにより、第１ＯＳの開封や、その後の第１ＯＳ上で動作するアプリケーションのインストールなどを何らの不具合も起こすことなく順調に進めることができる。
【００５５】
したがって、居間にコンピュータを置いて動画視聴やＡＶソフトを楽しむことができるだけでなく、リカバリなどのアフターケアも違和感無く操作が可能となって便利である。
尚、上記実施の形態では、ＴＶをコンピュータのモニタに利用する場合を例にとって説明したが、これに限ることなく、オーバースキャン方式の表示を行うように設定されているモニタ装置と、これに接続可能なデジタルインタフェースを有するコンピュータとを接続して第１ＯＳを開封する場合にも適用できることは言うまでもない。
【００５６】
（付記１）
テレビジョンに接続可能なデジタルインタフェースを有するコンピュータにおけるテレビジョンをコンピュータのモニタとして利用する場合の解像度設定装置であって、
第一基本ソフトウエアの使用許諾条件に同意する操作が行われる前に、本体装置に接続されたインタフェースがテレビジョンに接続可能なデジタルインタフェースか否かを判別する判別手段と、
該判別手段により前記インタフェースがテレビジョンに接続可能なデジタルインタフェースであると判別されたとき、前記コンピュータから出力される解像度または表示モードを第二基本ソフトウエア上で外部からの入力により設定させる設定手段と、
該設定手段により設定された前記解像度または表示モードを、第一基本ソフトウエアの設定に反映させる反映手段と、
を備えたことを特徴とする解像度設定装置。
（付記２）
前記反映手段は、前記設定手段により設定された前記解像度または表示モードを、前記第二基本ソフトウエア又は前記basic input/output systemの設定にも反映させる、こと
を特徴とする付記１記載の解像度設定装置。
（付記３）
前記表示モードは、オーバースキャン表示またはアンダースキャン表示の表示モードである、ことを特徴とする付記１記載の解像度設定装置。
（付記４）
前記反映手段は、第一基本ソフトウエア上で処理動作が進行している際に、前記デジタルインタフェースに接続されたテレビジョンが他のテレビジョンに接続変更されたとき、前記設定された解像度または表示モードを、第一基本ソフトウエアに反映させる、ことを特徴とする付記１記載の解像度設定装置。
（付記５）
オーバースキャン装置の表示が設定されているモニタ装置をアンダースキャン装置の表示処理を行うコンピュータにデジタルインタフェースで接続して前記モニタ装置を前記コンピュータのモニタとして利用する場合の解像度設定装置であって、
第一基本ソフトウエアの使用許諾条件に同意する操作が行われる前に、前記コンピュータに接続されたインタフェースが前記モニタ装置に接続可能なデジタルインタフェースか否かを判別する判別手段と、
該判別手段により前記インタフェースが前記モニタ装置に接続可能なデジタルインタフェースであると判別されたとき、前記コンピュータから出力されるアンダースキャン装置の表示画面全面が前記オーバースキャン装置の表示画面内に収まるように前記コンピュータから出力される解像度または表示モードを第二基本ソフトウエア上で外部からの入力により設定させる設定手段と、
該設定手段により設定された前記解像度または表示モードを、第一基本ソフトウエアの設定に反映させる反映手段と、
を備えたことを特徴とする解像度設定装置。
（付記６）
前記反映手段は、前記設定手段により設定された前記解像度または表示モードを、前記第二基本ソフトウエアの設定にも反映させる、ことを特徴とする付記５記載の解像度設定装置。
（付記７）
テレビジョンに接続可能なデジタルインタフェースを有するコンピュータにおけるテレビジョンをコンピュータのモニタとして利用する場合の解像度設定のための制御を演算処理装置に行わせるためのプログラムであって、
第一基本ソフトウエアの使用許諾条件に同意する操作が行われる前に、前記コンピュータに接続されたインタフェースがテレビジョンに接続可能なデジタルインタフェースか否かを判別する判別処理と、
該判別処理により前記インタフェースがテレビジョンに接続可能なデジタルインタフェースであると判別されたとき、前記コンピュータから出力される解像度または表示モードを第二基本ソフトウエア上で外部からの入力により設定させる設定処理と、
該設定処理により設定された前記解像度または表示モードを、第一基本ソフトウエアの設定に反映させる反映処理と、
を前記演算処理装置に行わせることを特徴とするプログラム。
（付記８）
前記反映処理は、前記設定処理により設定された前記解像度または表示モードを、前記第二基本ソフトウエア又は前記basic input/output systemの設定にも反映させる、ことを特徴とする付記７記載のプログラム。
（付記９）
前記表示モードは、オーバースキャン表示またはアンダースキャン表示の表示モードである、ことを特徴とする付記７記載のプログラム。
（付記１０）
前記反映処理は、第一基本ソフトウエア上で処理動作が進行している際に、前記デジタ
ルインタフェースに接続されたテレビジョンが他のテレビジョンに接続変更されたとき、前記設定された解像度または表示モードを、第一基本ソフトウエアに反映させる、ことを特徴とする付記７記載のプログラム。
（付記１１）
オーバースキャン装置の表示が設定されているモニタ装置をアンダースキャン装置の表示処理を行うコンピュータにデジタルインタフェースで接続して前記モニタ装置を前記コンピュータのモニタとして利用する場合の解像度設定のための制御を演算処理装置に行わせるためのプログラムであって、
第一基本ソフトウエアの使用許諾条件に同意する操作が行われる前に、前記コンピュータに接続されたインタフェースが前記モニタ装置に接続可能なデジタルインタフェースか否かを判別する判別処理と、
該判別処理により前記インタフェースが前記モニタ装置に接続可能なデジタルインタフェースであると判別されたとき、前記コンピュータから出力されるアンダースキャン装置の表示画面全面が前記オーバースキャン装置の表示画面内に収まるように前記コンピュータから出力される解像度または表示モードを第二基本ソフトウエア上で外部からの入力により設定させる設定処理と、
該設定処理により設定された前記解像度または表示モードを、第一基本ソフトウエアの設定に反映させる反映処理と、
を前記演算処理装置に行わせることを特徴とするプログラム。
（付記１２）
前記反映処理は、前記設定処理により設定された前記解像度または表示モードを、前記第二基本ソフトウエアの設定にも反映させる、ことを特徴とする付記１１記載のプログラム。
（付記１３）
テレビジョンに接続可能なデジタルインタフェースを有するコンピュータにおけるテレビジョンをコンピュータのモニタとして利用する場合の解像度設定方法であって、
第一基本ソフトウエアの使用許諾条件に同意する操作が行われる前に、本体方法に接続されたインタフェースがテレビジョンに接続可能なデジタルインタフェースか否かを判別する判別工程と、
該判別工程により前記インタフェースがテレビジョンに接続可能なデジタルインタフェースであると判別されたとき、前記コンピュータから出力される解像度または表示モードを第二基本ソフトウエア上で外部からの入力により設定させる設定工程と、
該設定工程により設定された前記解像度または表示モードを、第一基本ソフトウエアの設定に反映させる反映工程と、
を含むことを特徴とする解像度設定方法。
（付記１４）
前記反映工程は、前記設定工程により設定された前記解像度または表示モードを、前記第二基本ソフトウエア又は前記basic input/output systemの設定にも反映させる、ことを特徴とする付記１３記載の解像度設定方法。
（付記１５）
前記表示モードは、オーバースキャン表示またはアンダースキャン表示の表示モードである、ことを特徴とする付記１３記載の解像度設定方法。
（付記１６）
前記反映工程は、第一基本ソフトウエア上で処理動作が進行している際に、前記デジタルインタフェースに接続されたテレビジョンが他のテレビジョンに接続変更されたとき、前記設定された解像度または表示モードを、第一基本ソフトウエアに反映させる、ことを特徴とする付記１３記載の解像度設定方法。
（付記１７）
オーバースキャン方法の表示が設定されているモニタ方法をアンダースキャン方法の表示処理を行うコンピュータにデジタルインタフェースで接続して前記モニタ方法を前記コ
ンピュータのモニタとして利用する場合の解像度設定方法であって、
第一基本ソフトウエアの使用許諾条件に同意する操作が行われる前に、前記コンピュータに接続されたインタフェースが前記モニタ方法に接続可能なデジタルインタフェースか否かを判別する判別工程と、
該判別工程により前記インタフェースが前記モニタ方法に接続可能なデジタルインタフェースであると判別されたとき、前記コンピュータから出力されるアンダースキャン方法の表示画面全面が前記オーバースキャン方法の表示画面内に収まるように前記コンピュータから出力される解像度または表示モードを第二基本ソフトウエア上で外部からの入力により設定させる設定工程と、
該設定工程により設定された前記解像度または表示モードを、第一基本ソフトウエアの設定に反映させる反映工程と、
を含むことを特徴とする解像度設定方法。
（付記１８）
前記反映工程は、前記設定工程により設定された前記解像度または表示モードを、前記第二基本ソフトウエアの設定にも反映させる、ことを特徴とする付記１７記載の解像度設定方法。
【図面の簡単な説明】
【００５７】
【図１】一実施形態におけるテレビジョンをコンピュータのモニタとして利用する場合の解像度設定システム及びその処理動作の流れを示す図である。
【図２】比較のためオーバースキャン方式の画面表示とアンダースキャン方式の画面表示を示す図である。
【符号の説明】
【００５８】
１      表示画面
２      外枠
３      内枠
４      外枠と内枠の差分
５      ＷｉｎＰＥ／ＲＥの処理領域
６      ＷｉｎＶｉｓｔａの処理領域
７      記憶装置
７−１、７−２、７−３      領域
８      ＢＩＯＳ（basic input/output system）
９      第１ユーティリティ
１０      第２ユーティリティ
１１      コンピュータメーカのロゴマーク
【図１】
2008171283.tif 000003
【図２】
2008171283.tif 000004